(57)【要約】      （修正有）【課題】空間に表示された表示物の虚像が動くようにした空間表示装置を提供する。【解決手段】光源部９が台座部６の採光口部１５を経由して表示物１４を照射し、その表示物１４からの反射光がハーフミラー部８で凹面鏡部７に向けて反射され、そのハーフミラー部８からの反射光が凹面鏡部７でハーフミラー部８に向けて反射され、その凹面鏡部７からの反射光がハーフミラー部８及び光透過口部３を通過した凹面鏡部７の焦点位置に表示物１４の虚像１６を箱体２の外部の空間に立体的に表示し、当該表示中において作動部１０が左右に動かされると、台座部６がカム部１８とカムフォロア部１９との嵌め合いにより虚像１６を多様に動かすことができる。台座部６を電力で動かしたり、ハーフミラー部８と表示物１４の間にレンズ部を設けたりして、虚像１６を多様に動かすことができる。【選択図】図１
0003198857.tif 000002
【実用新案登録請求の範囲】
【請求項１】
暗箱状の箱体が光透過口部と出入口部とを有し、箱体の内部には台座部と凹面鏡部とハーフミラー部と光源部とが設けられ、箱体の外部又は内部には台座部を動かす作動部が設けられた空間表示装置であって、表示物が出入口部から箱体の内部の台座部に置かれた状態において、光源部が表示物を照射し、その表示物からの反射光がハーフミラー部で凹面鏡部に向けて反射され、そのハーフミラー部からの反射光が凹面鏡部でハーフミラー部に向けて反射され、その凹面鏡部からの反射光がハーフミラー部及び光透過口部を通過した凹面鏡の焦点位置に表示物の虚像を箱体の外部の空間に表示し、当該表示中において台座部が作動部で多様に動く構成になったことを特徴とする空間表示装置。
【請求項２】
箱体に作動口部が設けられ、作動部が台座部から作動口部を経由して箱体の外部に延長した手動に構成させたことを特徴とする請求項１記載の空間表示装置。
【請求項３】
箱体の底壁部に設けられたカム部と台座部に設けられたカムフォロア部とが嵌合することにより、台座部が回転かつ上下に移動することを特徴とする請求項１記載の空間表示装置。
【請求項４】
作動部が電動に構成されたことを特徴とする請求項１記載の空間表示装置。
【請求項５】
表示物とハーフミラー部との間に反射鏡部が設けられたことを特徴とする請求項１記載の空間表示装置。
【請求項６】
表示物とハーフミラー部との間にレンズ部が設けられことを特徴とする請求項１記載の空間表示装置。
【請求項７】
環境検出部と音出力部と音制御部と音データ部とが箱体に設けられ、環境検出部が箱体の外部の環境を検出した信号を音制御部に出力すると、音制御部が音データ部に格納された音データに対応した信号を音出力部に出力し、音出力部が音データに対応した信号による音又は音声を再生するように構成されたことを特徴とする請求項１記載の空間表示装置。
【請求項８】
光源部から照射された光で起電する太陽電池部が箱体の内部に設けられたことを特徴とする請求項１記載の空間表示装置。
【請求項９】
請求項１記載の空間表示装置を備えたことを特徴とする玩具、遊技機又は展示装置。
【考案の詳細な説明】
【技術分野】
【０００１】
この考案は、凹面鏡部とハーフミラー部と光源部とを用いて動きの有る虚像を空間に表示する空間表示装置に関する。
【背景技術】
【０００２】
図１２を参照し、特許文献１で開示された空間表示装置８１について説明する。図１２に示した空間表示装置８１は、箱体８２の内部に、凹面鏡部８３とハーフミラー部８４と一対の光源部８５と立体物８６とが設置され、光源部８５が立体物８６を両側から照射し、その立体物８６からの反射光がハーフミラー部８４で凹面鏡部８３に向けて反射され、そのハーフミラー部８４からの反射光が凹面鏡部８３でハーフミラー部８４に向けて反射され、その凹面鏡部８３からの反射光がハーフミラー部８４及び箱体８２に設けられた開口部８７を通過した凹面鏡部８３の焦点位置に立体物８６の虚像８８を箱体８２の外部の空間に表示する構成である。しかしながら、特許文献１で開示された空間表示装置８１は、動きの有る虚像を表現することができない。
【先行技術文献】
【特許文献】
【０００３】
【特許文献１】米国特許５５５２９３４号公報
【考案の概要】
【考案が解決しようとする課題】
【０００４】
この考案は、上記背景技術に鑑みてなされたものであり、動きの有る虚像を表現可能にすることを目的とする。
【課題を解決するための手段】
【０００５】
この考案は、暗箱状の箱体が光透過口部と出入口部とを有し、箱体の内部には台座部と凹面鏡部とハーフミラー部と光源部とが設けられ、箱体の外部又は内部には台座部を動かす作動部が設けられ、表示物が出入口部から箱体の内部の台座部に置かれた状態において、光源部が表示物を照射し、その表示物からの反射光がハーフミラー部で凹面鏡部に向けて反射され、そのハーフミラー部からの反射光が凹面鏡部でハーフミラー部に向けて反射され、その凹面鏡部からの反射光がハーフミラー部及び光透過口部を通過した凹面鏡部の焦点位置に表示物の虚像を箱体の外部の空間に表示し、当該表示中において台座部が動く構成になったことを特徴とする。
【考案の効果】
【０００６】
この考案は、暗箱状の箱体が光透過口部と出入口部とを有し、箱体の内部には台座部と凹面鏡部とハーフミラー部と光源部とが設けられ、箱体の外部又は内部には台座部を動かす作動部が設けられた空間表示装置であって、表示物が出入口部から箱体の内部の台座部に置かれた状態において、光源部が表示物を照射し、その表示物からの反射光がハーフミラー部で凹面鏡部に向けて反射され、そのハーフミラー部からの反射光が凹面鏡部でハーフミラー部に向けて反射され、その凹面鏡部からの反射光がハーフミラー部及び光透過口部を通過した凹面鏡の焦点位置に表示物の虚像を箱体の外部の空間に表示し、当該表示中において台座部が作動部で多様に動く構成になったことにより、表示された虚像が多様な演出をすることができる効果がある。この考案において、箱体に作動口部が設けられ、作動部が人で操作されるための部分として台座部から作動口部を経由して箱体の外部に延長されば、作動部の操作で台座部を容易に動かすことができる。この考案において、箱体の底壁部に設けられたカム部と台座部に設けられたカムフォロア部とが嵌合することにより、台座部が回転かつ上下に移動すれば、台座部を多様に動く構造が簡単になる。この考案において、作動部が電動に構成されたことにより、電力で動かすことができる。この考案において、表示物とハーフミラー部との間に反射鏡部が設けられたことにより、表示物の上下の方向と虚像の上下の方向とを整合させることができる。この考案において、表示物とハーフミラー部との間にレンズ部が設けられことにより、表示される虚像を拡大又は縮小することができる。この考案において、環境検出部と音出力部と音制御部と音データ部とが箱体に設けられ、環境検出部が箱体の外部の環境を検出した信号を音制御部に出力すると、音制御部が音データ部に格納された音データに対応した信号を音出力部に出力し、音出力部が音データに対応した信号による音又は音声を再生するように構成されたことにより、虚像の動きと音声とを組み合わせた演出をすることができる。この考案において、光源部から照射された光で起電する太陽電池部が箱体の内部に設けられたことにより、光源部の照射により台座部を動かすことができる。この考案において、空間表示装置を玩具、遊技機又は展示装置に備えれば、表示された虚像が多様な動きを演じる玩具、遊技機又は展示装置とすることができる。
【図面の簡単な説明】
【０００７】
【図１】図２に示した空間表示装置の１０１−１０１線断面図。
【図２】考案を実施するための形態１に係る空間表示装置の外観を示した斜視図。
【図３】考案を実施するための形態１に係る光源部と台座部と表示物と底壁部とを分解して示した斜視図。
【図４】台座部を裏返して示した斜視図。
【図５】図３に示した光源部の１０２−１０２線断面図。
【図６】考案を実施するための形態２に係る空間表示装置の断面図。
【図７】考案を実施するための形態３に係る空間表示装置の断面図。
【図８】考案を実施するための形態４に係る空間表示装置の断面図。
【図９】考案を実施するための形態５に係る空間表示装置の断面図。
【図１０】考案を実施するための形態６に係る空間表示装置の断面図。
【図１１】考案を実施するための形態７に係る空間表示装置の断面図。
【図１２】従来の空間表示装置を示した断面図。
【考案を実施するための形態】
【０００８】
この明細書における「前」、「後」、「左」、「右」、「上」、「下」の方向は、図２の状態に空間表示装置１を置いて矢印Ｓで示す前側から見た場合に特定される方向である。考案を実施するための形態の説明では、同一の機能を有する部分に同一の符号を付し、重複する説明を省略した。
【０００９】
図１を参照し、考案を実施するための形態１に係る空間表示装置１の内部構造について説明する。図１に示した考案を実施するための形態１に係る空間表示装置１は、暗箱状の箱体２が光透過口部３と貫通孔部４と配線口部５とを有し、箱体２の内部には台座部６と凹面鏡部７とハーフミラー部８と光源部９とが設けられ、箱体２の外部には台座部６を手動の作動部１０が設けられ、台座部６と作動部１０とを相互に繋ぐ連結部１１が貫通孔部４に配置され、光源部９から延びた電線部１２の配線口部５から箱体２の外部に突出した端部にはプラグ部１３が設けられた構成である。そして、表示物１４が台座部６に置かれ、プラグ部１３が図外の屋内等に設けられた商用電源の差し込み口部に接続され、図外の光源スイッチ部が人為的にオン操作されると、電力が商用電源からプラグ部１３及び電線部１２を経由して光源部９に供給され、光源部９が台座部６の採光口部１５を経由して表示物１４を照射し、その表示物１４に照射された光がハーフミラー部８で凹面鏡部７に向けて反射され、そのハーフミラー部８からの反射光が凹面鏡部７でハーフミラー部８に向けて反射され、その凹面鏡部７からの反射光がハーフミラー部８及び光透過口部３を通過した凹面鏡部７の焦点位置に表示物１４の虚像１６を箱体２の外部の空間に表示し、当該表示中において台座部６が作動部１０で多様に動く構成になっている。よって、台座部６が作動部１０で多様に動かされることにより、表示された虚像１６が多様な動きを演じることができる。表示物１４と虚像１６の左右方向の関係は、左右が反転した（鏡文字）状態であり、表示物１４の前方側が虚像１６の上方側として表示され、表示物１４の後方側が虚像１６の下方側として表示される。
【００１０】
上記台座部６が作動部１０で多様に動く構成は、例えば、箱体２の底壁部１７にはカム部１８が溝カムとして設けられ、台座部６にはカムフォロア部１９が設けられ、カム部１８とカムフォロア部１９とが互いに嵌合した状態において、台座部６が作動部１０で表示物１４とハーフミラー部８とを結ぶ縦方向の直線を中心部として当該直線に直交する横方向で左右に動かされると、カムフォロア部１９がカム部１８に沿って縦方向で上下に移動し、台座部６が左右及び上下に多様に動くようになっている。
【００１１】
表示物１４には人形のような立体物を用いることができる。表示物１４に光透過性のある立体物を用いた場合には、虚像１６が立体的に表示される効果がある。光透過性のある立体物を表示物１４に用いた場合には表示物１４の内部に光源部９を収容し、表示物１４の内部から表示物１４を照らすようにしてもよい。又、表示物１４に液晶表示器を用いてもよい。液晶表示器はバックライトのない液晶表示器でもよいが、バックライト付き液晶表示器を用いれば、バックライト付き液晶表示器のバックライトを光源部９の代わりにすることもできる。液晶表示器に動画又は静止画の画像を表示させれば、平面の虚像１６を表示させることも可能である。又、液晶表示器に表示させた画像と立体物とを併用した表示物１４とすれば、液晶表示器に表示させた画像と立体物の像とが合成された表示物１４の虚像を人に視認させることができる。
【００１２】
表示物１４には像が描かれた光透過性のあるフィルムを用いることもできる。又、例えば、表示物１４を赤色で描かれた像と緑色で描かれた像とを有する光透過性のあるフィルムで構成し、光源部９から赤色の光と緑色の光とを切り替えて表示物１４に照射できるように構成することにより、光源部９から赤色の光がフィルムに照射された場合にはフィルムに緑色で描かれた像が虚像１６として表示される一方、光源部９から緑色の光がフィルムに照射された場合にはフィルムに赤色で描かれた像が虚像１６として表示されるようにしてもよい。赤色と緑色の場合を例示したが、赤色と緑色の組み合わせに限定されず、一の色と他の色の組み合わせであればよい。すなわち、光源部９は光の色を一の色と他の色に切り替え可能に構成されており、表示物１４は光透過性を有するフィルムであって、そのフィルムには一の色で描かれた像と、他の色で描かれた像とを有し、光源部から一の色の光がフィルムに照射されることにより他の色で描かれた像が虚像として表示される一方、光源部から他の色の光がフィルムに照射されることにより一の色で描かれた像が虚像として表示されるように構成されていればよい。光源部９の光の色を切り替えることによって、表示される虚像１６を変化させることができる。尚、フィルムに描かれた像の色の種類の数と光源部９からの光の色の種類の数は１種類、３種類又は４種類以上であってもよい。又、フィルムに描かれる像の色の種類の数と光源部９からの光の色の種類の数は同数でなくてもよい。
【００１３】
光源部９は表示物１４の下方に配置されているが、表示物１４を上から照らすように箱体２の内部に設けても良い。又、表示物１４が光透過性を有する材質で構成されている場合は光源部９を表示物１４の内部に設けても良い。
【００１４】
図２を参照し、考案を実施するための形態１に係る箱体２の外部構造について説明する。図２に示した考案を実施するための形態１に係る箱体２の側壁部には、出入口部２１が設けられる。出入口部２１には、蓋部２２が開閉可能に設けられる。蓋部２２には摘み部２３が設けられる。そして、人が摘み部２３を摘み、蓋部２２が箱体２の外部の側に開けられると、出入口部２１が開放される。出入口部２１が開放された状態において、表示物１４が箱体２の外部から出入口部２１を経由して台座部６に置かれる。その後、蓋部２２が閉じられ、出入口部２１が塞がれ、箱体２が暗箱状になる。
【００１５】
作動部１０が連結部１１と別体に構成され、作動部１０と連結部１１とが互いに結合されるようになっている。即ち、作動部１０と連結部１１とが分割線部２４で互いに別れる構成になっている。そして、作動部１０が分割線部２４で連結部１１より外され、台座部６及び連結部１１が箱体２の外部から上記開放された出入口部２１を経由して箱体２の内部の空洞部に入れられ、連結部１１が貫通孔部４から箱体２の外部に出される。その状態において、作動部１０が連結部１１に分割線部２４で結合される。このような作動部１０と連結部１１との構造によれば、作動部１０の横幅を広くして掴みやすく、連結部１１の横幅を台座部６及び作動部１０よりも細くして貫通孔部４の横幅を狭くしても、作動部１０の横方向で左右に動かされる範囲が広くなり、台座部６が矢印Ｘで示した横方向に動かされる範囲が広くなる。又、作動部１０が連結部１１を回転中心として捻られることも可能である。
【００１６】
図２に示した考案を実施するための形態１では、貫通孔部４を左右方向に長い開口として設け、作動部１０が左右方向に動かされることにより、台座部６が上下かつ左右に動くように構成したが、貫通孔部４を上下方向に長い開口として設け、作動部１０が上下方向に動かされることにより、台座部６が上下に動くように構成してもよい。台座部６とハーフミラー部８との距離が上下方向に変化することにより、表示物１４の虚像１６を拡大又は縮小させて表示させることが可能となる。尚、かかる場合は台座部６にカムフォロア部１９及びフォロア壁部３０を設ける必要はない。又、作動部１０を電力で動く構造を適用して、台座部６を上下に動かすことも可能である。
【００１７】
又、箱体２に出入口部２１を設けずに、箱体２が上箱体部と下箱体部とからなり、上箱体部と下箱体部とが互いに分離可能な構造でも適用可能である。
【００１８】
図３を参照し、考案を実施するための形態１に係る光源部９と台座部６と表示物１４と箱体２の底壁部１７との関係について説明する。図３に示した考案を実施するための形態１に係る底壁部１７の特定の位置には位置決め部２５が設けられる。光源部９には被位置決め部２６が設けられる。そして、光源部９が箱体２に設置される場合に、位置決め部２５と被位置決め部２６とが互いに嵌め合わされ、光源部９が底壁部１７の特定の位置に設置される。底壁部１７の特定の位置の周縁部には、一対のカム壁部２７が位置決め部２５を中心部とした１つの円周上に設けられる。各カム壁部２７の外周面にはカム部１８が周方向に波形状に連なる溝カムとして設けられる。カム壁部２７は、円筒状の一体として構成されても良い。
【００１９】
台座部６は、採光口部１５とカムフォロア部１９と支持部２８とを備える。採光口部１５は、光源部９から照射された光を取り込む貫通孔として構成される。支持部２８は、採光口部１５の周囲に配置され、台座部６に開閉可能に設けられ、採光口部１５に配置された表示物１４を台座部６に支持する構成である。例えば、支持部２８が開かれた状態において、採光口部１５に配置された表示物１４の両側部２９が上記開かれた支持部２８と対応する採光口部１５の周囲に重ね合わされる。その後、支持部２８が閉じられ、支持部２８が表示物１４の両側部２９を上から台座部６に押さえ付けることにより、表示物１４の両側部２９が支持部２８と台座部６とで挟まれ、表示物１４が台座部６に位置が移動しないように支持される。
【００２０】
図３に示した考案を実施するための形態１では、例えば、表示物１４の両側部２９を支持部２８と台座部６とで挟むことで、表示物１４が台座部６に位置が移動しないように支持された構造を例示したが、支持部２８を粘着材で構成しても適用可能である。又、表示物１４が採光口部１５に嵌め込まれる構造でも適用可能である。又、台座部６に凸部又は凹部を設け、表示物１４に凹部又は凸部を設け、台座部６の凸部と表示物１４の凹部とを互いに嵌め込み、又は台座部６の凹部と表示物１４の凸部とを互いに嵌め込む構造でも適用可能である。又、台座部６を光透過性のある材質で構成すれば、採光口部１５は設けなくてもよい。又、作動部１０が人に操作される構造の他、作動部１０が電力で動く構造でも適用可能である。
【００２１】
図４を参照し、考案を実施するための形態１に係る台座部６の裏側の構造について説明する。図４に示した考案を実施するための形態１に係る台座部６の裏面部には、一対のフォロア壁部３０が採光口部１５を中心部をとした１つの円周上に設けられる。台座部６が光源部９に対して配置される場合、一対のフォロア壁部３０の内壁面が一対のカム壁部２７（図３参照）の外壁面に接触し、一対のフォロア壁部３０と一対のカム壁部２７とが軸受部を構成し、台座部６が光源部９に対して縦方向の中心線を回転中心として回転可能になっている。一対のフォロア壁部３０には、カムフォロア部１９が採光口部１５の側に突出して設けられる。一対のフォロア壁部３０と一対のカム壁部２７とが互いに組み合わせる時、カムフォロア部１９はカム部１８に嵌め込まれるようになっている。フォロア壁部３０は、円筒状の一体として構成されても良い。
【００２２】
図５を参照し、光源部９について説明する。図５に示した考案を実施するための形態１に係る光源部９は、合成樹脂製の光源容器３１に収容部３２を備える。収容部３２は光源容器３１の上面から内部に窪む形態である。収容部３２には、発光素子部３３を搭載した回路基板３４が設置される。回路基板３４の発光素子部３３と接続される電気回路には、光源容器３１に設けられた電源部３５の出力端部が接続されている。電源部３５の入力端部には電線部１２が接続されている。電源部３５は、電線部１２から入力端部に入力された商用電源である交流を発光素子部３３に適用可能な電圧の直流に変換して出力端部に出力する構成になっている。光源容器３１の上面部には、収容部３２を塞ぐカバー部３６が固定される。カバー部３６は、発光素子部３３が放射した光を拡散しかつカバー部３６の外部に透過する材質で構成される。発光素子部３３は、発光ダイオード、有機ＥＬ、フィラメント球、蛍光灯等により構成される。カバー部３６が光源容器３１から取り外されることにより、発光素子部３３を交換したり、発光素子部３３及び回路基板３４を交換したりすることも可能である。又、カバー部３６を赤色フィルムや緑色フィルム等のフィルターとして構成しても適用可能である。
【００２３】
光源部９又は箱体２（図１参照）に電池を搭載し、電池から電源部３５を経由して回路基板３４の発光素子部３３に直流の電力を供給するようにすれば、考案を実施するための形態１に係る空間表示装置１を持ち運び可能な玩具に適用可能である。電池は乾電池のような一次電池や充放電可能な二次電池の他、光から電力を生み出す太陽電池であってもよい。太陽電池を用いる場合は箱体２の外面に設けられる。
【００２４】
図６を参照し、考案を実施するための形態２に係る空間表示装置１ついて説明する。図６に示した考案を実施するための形態２に係る空間表示装置１は、複種類の表示部物１４を備えた台座部６が電動の作動部４１で一方向に回転することにより、複種類の表示部物１４が虚像１６を物語風に表示できるようになっている。作動部４１は、駆動部４２と出力端部４３と電源部４４とを備える。電源部４４は、電線部１２から入力端部に入力された商用電源である交流を駆動部４２に適用可能な電圧に変換して出力端部に出力すると共に、電線部１２から入力端部に入力された商用電源である交流を電線部４５で電源部３５に出力する構成になっている。駆動部４２が交流仕様の場合は電源部４４の出力端部に出力される電力は交流であり、駆動部４２が直流仕様の場合は電源部４４の出力端部に出力される電力は直流である。
【００２５】
そして、プラグ部１３が図外の屋内等に設けられた商用電源の差し込み口部に接続され、図示のされていない光源スイッチ部がオン操作されると、電力が商用電源からプラグ部１３と電線部１２及び電源部３５を経由して光源部９の発光素子部３３に供給され、発光素子部３３が複種類の表示物１４のうちの発光素子部３３に対応する一つの表示物１４を照射し、その表示物１４からの反射光がハーフミラー部８で凹面鏡部７に向けて反射され、そのハーフミラー部８からの反射光が凹面鏡部７でハーフミラー部８に向けて反射され、その凹面鏡部７からの反射光がハーフミラー部８及び光透過口部３を通過した凹面鏡部７の焦点位置に表示物１４の虚像１６を箱体２の外部の空間に表示する。又、プラグ部１３が図外の屋内等に設けられた商用電源の差し込み口部に接続された状態において、図示のされていない駆動スイッチ部が人為的にオン操作されると、電力が商用電源からプラグ部１３と電線部１２及び電源部４４を経由して駆動部４２に供給され、駆動部４２が出力端部４３を回転し、台座部６が台座部６の回転中心を構成する出力端部４３を回転中心として回転して、光源部９に照射される表示物１４が変化することにより、複種類の表示部物１４が虚像１６を物語風に表示する。
【００２６】
尚、台座部６が作動部４１の駆動部４２で台座部６を回転することなく直線的に移動するように構成して複種類の表示部物１４による虚像１６を表示することも可能である。
【００２７】
図７を参照し、考案を実施するための形態３に係る空間表示装置１について説明する。図７に示した考案を実施するための形態３に係る空間表示装置１は、表示物１４が光反射性の有る立体物で構成され、発光素子部３３が表示物１４を斜め上方から照射するように光源部９が箱体２の内部に設けられ、表示物１４からの反射光がハーフミラー部８に入射することにより、表示物１４の反射光による虚像１６を箱体２の外部の空間に表示するようになっている。
【００２８】
図８を参照し、考案を実施するための形態４に係る空間表示装置１について説明する。図８に示した考案を実施するための形態４に係る空間表示装置１は、レンズ部４６が箱体２の内部に配置されかつハーフミラー部８と表示物１４との間にハーフミラー部８と表示物１４との方向に移動可能に設けられ、レンズ部４６が図示のされていない手動又は電動の作動部でハーフミラー部８の側又は表示物１４の側に動かされることにより、表示される虚像１６が拡大又は縮小するようになっている。レンズ部４６は、凸レンズにより構成される態様、凸レンズと凹レンズとにより構成される態様が適用可能である。
【００２９】
図９を参照し、考案を実施するための形態５に係る空間表示装置１について説明する。図９に示した考案を実施するための形態５に係る空間表示装置１は、反射鏡部４７が箱体２の内部でハーフミラー部８と表示物１４との間に設けられ、反射鏡部４７により表示物１４の上下の方向と虚像１６の上下の方向とが整合するようになっている。
【００３０】
図１０を参照し、考案を実施するための形態６に係る空間表示装置１について説明する。図１０に示した考案を実施するための形態６に係る空間表示装置１は、環境検出部４８と音出力部４９と音制御部５０と音データ部５１とが箱体２に設けられかつ電線部５２，５３，５４で互いにつながっている。そして、環境検出部４８が箱体２の外部の環境を検出した信号を電線部５２で音制御部５０に出力すると、音制御部５０が音データ部５１に格納された音データに対応した信号を音出力部４９に出力し、音出力部４９が音データに対応した信号による音又は音声を再生するように構成されている。環境検出部４８としては、箱体２の外部で人又は物により発生された音又は音声を検出する音検出部、箱体２の外部で人又は物の接近を検出する物体検出部、箱体２の外部で人又は物の動きを検出する動作検出部等が適用可能である。
【００３１】
又、環境検出部４８からの箱体２の外部の環境を検出した信号が音制御部５０に入力されると、音制御部５０が図示のされていない電線部を経由して図示のされていないスイッチ回路部をオン動作し、電源部３５が電力を発光素子部３３に供給し、発光素子部３３が点灯して虚像１６を表示するようになっている。音出力部４９が音又は音声を再生し、光源部９が点灯して虚像１６を表示した後、音制御部５０は動作時間を計測し、計測した動作時間が音データ部５１に格納された規定時間に到達すると、音制御部５０が音出力部４９への音データに対応した信号の出力を停止すると共にスイッチ回路部をオフ動作する。これによって、音出力部４９による音又は音声の再生と発光素子部３３の点灯による虚像１６の表示とが停止するようになっている。
【００３２】
又、環境検出部４８による検出と光源部９の点灯とが無関係に構成され、図示のされていない光源スイッチ部が人の操作でオン動作された場合に、光源スイッチ部が音制御部５０を起動し、音制御部５０が環境検出部４８を音検出可能な状態に作動することにより、光源部９が点灯して虚像１６を表示した状態において、環境検出部４８が箱体２の外部の環境を検出した場合に、音出力部４９が音制御部５０及び音データ部５１による制御で音データに対応した信号による音又は音声を再生する構成にしてもよい。例えば、表示物１４に人形を用いた場合、あらかじめ表示されている人形の虚像１６に人が話しかけた場合に応答をする音声を再生するようなことができ、簡易的な会話を行うことができる。
【００３３】
又、音出力部４９と音制御部５０と音データ部５１とを用いることなく、環境検出部４８が音又は音声を検出したときに図示のされていない電線部を経由して図示のされていないスイッチ回路部をオン動作して発光素子部３３を点灯させて虚像１６を表示させるようにしてもよい。例えば、表示物１４に人形を用いた場合、人の呼びかけに応答するように、人形の虚像１６が空間に表示される演出を行うことができる。
【００３４】
又、環境検出部４８による検出により、音制御部５０が図示のされていない電線部を経由して図示のされていないスイッチ回路部をオン動作し、電源部４４が電力を駆動部４２に供給し、駆動部４２が台座部６を回転し、音制御部５０が動作時間を計測し、計測した動作時間が音データ部５１に格納された規定時間に到達すると、音制御部５０がスイッチ回路部をオフ動作し、台座部６の回転が停止することも可能である。
【００３５】
図１１を参照し、考案を実施するための形態７について説明する。図１１に示した考案を実施するための形態７に係る空間表示装置１は、光源部９の発光素子部３３から照射された光で起電する太陽電池部５５が箱体２の内部に設けられ、太陽電池部５５で起電された電力が駆動部４２に供給されて台座部６を作動するようになっている。尚、太陽電池部５５に替えて図示のされていない一次電池部や二次電池部を箱体２に設けて、一次電池部や二次電池部で台座部６及び光源部９を作動しても良い。
【００３６】
又、図１に示した空間表示装置１に、図７に示した発光素子部３３が表示物１４を斜め上方から照射する構成、図８に示したレンズ部４６により虚像１６を拡大又は縮小する構成、図９に示した反射鏡部４７により表示物１４の上下の方向と虚像１６の上下の方向とが整合する構成、図１０に示した環境検出部４８と音出力部４９と音制御部５０と音データ部５１とによる音又は音声を再生する構成、図１１に示した太陽電池部５５により台座部６の作動する構成等を１個又は複数個用いても適用可能である。
【００３７】
又、図７に示した発光素子部３３が表示物１４を斜め上方から照射する構成、図８に示したレンズ部４６により虚像１６を拡大又は縮小する構成、図９に示した反射鏡部４７により表示物１４の上下の方向と虚像１６の上下の方向とが整合する構成、図１０に示した環境検出部４８と音出力部４９と音制御部５０と音データ部５１とによる音又は音声を再生する構成、図１１に示した太陽電池部５５により台座部６の作動する構成等を互いに組み合わせても適用可能である。
【００３８】
図１乃至図１１に示した空間表示装置１を、玩具、遊技機、商品を展示する店頭、商品を販売する自動販売機、自動車のエンブレムを車内で表示させる場合等に使用することも可能である。
【符号の説明】
【００３９】
１    空間表示装置
２    箱体
３    光透過口部
４    貫通孔部
５    配線口部
６    台座部
７    凹面鏡部
８    ハーフミラー部
９    光源部
１０  作動部
１１  連結部
１２  電線部
１３  プラグ部
１４  表示物
１５  採光口部
１６  虚像
１７  底壁部
１８  カム部
１９  カムフォロア部
２０  欠番
２１  出入口部
２２  蓋部
２３  摘み部
２４  分割線部
２５  位置決め部
２６  被位置決め部
２７  カム壁部
２８  支持部
２９  両側部
３０  フォロア壁部
３１  光源容器
３２  収容部
３３  発光素子部
３４  回路基板
３５  電源部
３６  カバー部
４１  作動部
４２  駆動部
４３  出力端部
４４  電源部
４５  電線部
４６  レンズ部
４７  反射鏡部
４８  環境検出部
４９  音出力部
５０  音データ部
５１  音制御部
５２  電線部
５３  電線部
５４  電線部
５５  太陽電池部
８１  空間表示装置
８２  箱体
８３  凹面鏡部
８４  ハーフミラー部
８５  光源部
８６  立体物
８７  開口部
８８  虚像
【図１】
0003198857.tif 000003
【図２】
0003198857.tif 000004
【図３】
0003198857.tif 000005
【図４】
0003198857.tif 000006
【図５】
0003198857.tif 000007
【図６】
0003198857.tif 000008
【図７】
0003198857.tif 000009
【図８】
0003198857.tif 000010
【図９】
0003198857.tif 000011
【図１０】
0003198857.tif 000012
【図１１】
0003198857.tif 000013
【図１２】
0003198857.tif 000014
【手続補正書】
【提出日】平成27年5月25日(2015.5.25)
【手続補正１】
【補正対象書類名】実用新案登録請求の範囲
【補正対象項目名】全文
【補正方法】変更
【補正の内容】
【実用新案登録請求の範囲】
【請求項１】
暗箱状の箱体が光透過口部と出入口部とを有し、箱体の内部には台座部と凹面鏡部とハーフミラー部と光源部とが設けられ、箱体の外部又は内部には作動部が設けられた空間表示装置であって、表示物が出入口部から箱体の内部の台座部に置かれた状態において、光源部が表示物を照射し、その表示物からの反射光がハーフミラー部で凹面鏡部に向けて反射され、そのハーフミラー部からの反射光が凹面鏡部でハーフミラー部に向けて反射され、その凹面鏡部からの反射光がハーフミラー部及び光透過口部を通過した凹面鏡の焦点位置に表示物の虚像を箱体の外部の空間に表示し、当該表示中において台座部が作動部で動かされる構成になったことを特徴とする空間表示装置。
【請求項２】
箱体に作動口部が設けられ、作動部が台座部から作動口部を経由して箱体の外部に延長した手動に構成させたことを特徴とする請求項１記載の空間表示装置。
【請求項３】
箱体にカム部が設けられ、台座部にカムフォロア部が設けられ、台座部が作動部で表示物とハーフミラー部とを結ぶ縦方向の直線を中心部として当該直線に直交する横方向で左右に動かされることにより、カムフォロア部がカム部に沿って縦方向で上下に移動し、台座部が左右及び上下に動くように構成されたことを特徴とする請求項１記載の空間表示装置。
【請求項４】
作動部が電動に構成されたことを特徴とする請求項１記載の空間表示装置。
【請求項５】
表示物とハーフミラー部との間に反射鏡部が設けられたことを特徴とする請求項１記載の空間表示装置。
【請求項６】
表示物とハーフミラー部との間にレンズ部が設けられことを特徴とする請求項１記載の空間表示装置。
【請求項７】
環境検出部と音出力部と音制御部と音データ部とが箱体に設けられ、環境検出部が箱体の外部の環境を検出した信号を音制御部に出力すると、音制御部が音データ部に格納された音データに対応した信号を音出力部に出力し、音出力部が音データに対応した信号による音又は音声を再生するように構成されたことを特徴とする請求項１記載の空間表示装置。
【請求項８】
光源部から照射された光で起電する太陽電池部が箱体の内部に設けられたことを特徴とする請求項１記載の空間表示装置。
【請求項９】
請求項１記載の空間表示装置を備えたことを特徴とする玩具、遊技機又は展示装置。
【手続補正２】
【補正対象書類名】明細書
【補正対象項目名】０００５
【補正方法】変更
【補正の内容】
【０００５】
この考案は、暗箱状の箱体が光透過口部と出入口部とを有し、箱体の内部には台座部と凹面鏡部とハーフミラー部と光源部とが設けられ、箱体の外部又は内部には作動部が設けられ、表示物が出入口部から箱体の内部の台座部に置かれた状態において、光源部が表示物を照射し、その表示物からの反射光がハーフミラー部で凹面鏡部に向けて反射され、そのハーフミラー部からの反射光が凹面鏡部でハーフミラー部に向けて反射され、その凹面鏡部からの反射光がハーフミラー部及び光透過口部を通過した凹面鏡部の焦点位置に表示物の虚像を箱体の外部の空間に表示し、当該表示中において台座部が作動部で動かされる構成になったことを特徴とする。
【手続補正３】
【補正対象書類名】明細書
【補正対象項目名】０００６
【補正方法】変更
【補正の内容】
【０００６】
この考案は、暗箱状の箱体が光透過口部と出入口部とを有し、箱体の内部には台座部と凹面鏡部とハーフミラー部と光源部とが設けられ、箱体の外部又は内部には作動部が設けられた空間表示装置であって、表示物が出入口部から箱体の内部の台座部に置かれた状態において、光源部が表示物を照射し、その表示物からの反射光がハーフミラー部で凹面鏡部に向けて反射され、そのハーフミラー部からの反射光が凹面鏡部でハーフミラー部に向けて反射され、その凹面鏡部からの反射光がハーフミラー部及び光透過口部を通過した凹面鏡の焦点位置に表示物の虚像を箱体の外部の空間に表示し、当該表示中において台座部が作動部で多様に動く構成になったことにより、表示された虚像が多様な演出をすることができる効果がある。この考案において、箱体に作動口部が設けられ、作動部が人で操作されるための部分として台座部から作動口部を経由して箱体の外部に延長されば、作動部の操作で台座部を容易に動かすことができる。この考案において、箱体のカム部が設けられ、台座部にカムフォロア部が設けられ、台座部が作動部で表示物とハーフミラー部とを結ぶ縦方向の直線を中心部として当該直線に直交する横方向で左右に動かされることにより、カムフォロア部がカム部に沿って縦方向で上下に移動し、台座部が左右及び上下に動くように構成されれば、台座部を左右及び上下に動かす構造が簡単になる。この考案において、作動部が電動に構成されたことにより、電力で動かすことができる。この考案において、表示物とハーフミラー部との間に反射鏡部が設けられたことにより、表示物の上下の方向と虚像の上下の方向とを整合させることができる。この考案において、表示物とハーフミラー部との間にレンズ部が設けられことにより、表示される虚像を拡大又は縮小することができる。この考案において、環境検出部と音出力部と音制御部と音データ部とが箱体に設けられ、環境検出部が箱体の外部の環境を検出した信号を音制御部に出力すると、音制御部が音データ部に格納された音データに対応した信号を音出力部に出力し、音出力部が音データに対応した信号による音又は音声を再生するように構成されたことにより、虚像の動きと音声とを組み合わせた演出をすることができる。この考案において、光源部から照射された光で起電する太陽電池部が箱体の内部に設けられたことにより、光源部の照射により台座部を動かすことができる。この考案において、空間表示装置を玩具、遊技機又は展示装置に備えれば、表示された虚像が多様な動きを演じる玩具、遊技機又は展示装置とすることができる。